(57)【要約】【課題】最外側の株元搬送装置において、無端回動体とガイド部材との間に詰まった刈取穀稈を容易に取り除くことが可能な自脱型コンバインが要望されている。【解決手段】自脱型コンバインは、植立穀稈を刈り取って刈取穀稈を機体後方に向けて搬送する刈取部４を備えている。刈取部４は、刈取穀稈の株元を挟持搬送するように構成され、刈幅方向に並ぶ複数の株元搬送装置２６を有している。株元搬送装置２６は、無端回動体２６Ａと、無端回動体２６Ａに対向して設けられ、刈取穀稈の株元を案内するガイド部材２６Ｂと、を有している。複数の株元搬送装置２６のうち刈幅方向で最も外側に位置する最外側の株元搬送装置２６は、無端回動体２６Ａとガイド部材２６Ｂとが近付く使用状態と、無端回動体２６Ａとガイド部材２６Ｂとが離れる離間状態とに切り替え可能に構成されている。【選択図】図３
2022001022.tif 000002
【特許請求の範囲】
【請求項１】
植立穀稈を刈り取って刈取穀稈を機体後方に向けて搬送する刈取部を備え、
前記刈取部は、刈取穀稈の株元を挟持搬送するように構成され、刈幅方向に並ぶ複数の株元搬送装置を有し、
前記株元搬送装置は、無端回動体と、前記無端回動体に対向して設けられ、刈取穀稈の株元を案内するガイド部材と、を有し、
前記複数の株元搬送装置のうち刈幅方向で最も外側に位置する最外側の株元搬送装置は、前記無端回動体と前記ガイド部材とが近付く使用状態と、前記無端回動体と前記ガイド部材とが離れる離間状態とに切り替え可能に構成されている自脱型コンバイン。
【請求項２】
前記刈取部は、前記最外側の株元搬送装置のうち前記無端回動体を支持する株元フレームを有し、
前記株元フレームは、前記株元フレームの搬送終端部を支持する支持部を支点として揺動可能に構成されている請求項１に記載の自脱型コンバイン。
【請求項３】
前記最外側の株元搬送装置は、前記無端回動体が巻き付けられる複数の回転輪体を有し、
前記支持部は、前記複数の回転輪体のうち搬送終端側に位置する回転輪体の回転軸と平行な軸によって構成されている請求項２に記載の自脱型コンバイン。
【請求項４】
前記株元フレームを前記最外側の株元搬送装置が前記使用状態となる状態に位置固定するロック状態と前記株元フレームの位置固定を解除するロック解除状態とに切り替え可能なロック機構を備えている請求項２又は３に記載の自脱型コンバイン。
【請求項５】
前記刈取部は、植立穀稈を分草する複数の分草具と、前記複数の分草具の夫々に対応して設けられ、前記分草具を支持する複数の分草フレームと、を有し、
前記ロック機構は、前記ロック状態において、前記株元フレームを、前記複数の分草フレームのうち刈幅方向で前記最外側の株元搬送装置が位置する側の最も外側に位置する分草フレームに連結するように構成されている請求項４に記載の自脱型コンバイン。
【請求項６】
前記ロック機構を複数備えている請求項４又は５に記載の自脱型コンバイン。
【請求項７】
前記刈取部は、刈幅方向で前記最外側の株元搬送装置が位置する側の側部に設けられるサイドカバーと、前記サイドカバーの下部を支持するサイドカバーフレームと、を有し、
前記サイドカバーフレームに、前記株元フレームを前記離間状態に保持する保持部が設けられている請求項２から６の何れか一項に記載の自脱型コンバイン。
【発明の詳細な説明】
【技術分野】
【０００１】
本発明は、自脱型コンバインに関する。
【背景技術】
【０００２】
従来、自脱型コンバインとして、例えば、特許文献１に記載の自脱型コンバインが知られている。特許文献１に記載の自脱型コンバインには、植立穀稈を刈り取って刈取穀稈を機体後方に向けて搬送する刈取部（文献では「刈取部〔２〕」）が備えられている。刈取部には、刈取穀稈の株元を挟持搬送するように構成され、刈幅方向に並ぶ複数の株元搬送装置（文献では「右株元搬送装置〔３１〕等」）が備えられている。株元搬送装置には、無端回動体と、無端回動体に対向して設けられ、刈取穀稈の株元を案内するガイド部材と、が備えられている。
【先行技術文献】
【特許文献】
【０００３】
【特許文献１】特開２０１４−９７０３６号公報
【発明の概要】
【発明が解決しようとする課題】
【０００４】
特許文献１に記載の自脱型コンバインでは、複数の株元搬送装置のうち刈幅方向で最も外側に位置する最外側の株元搬送装置は、その搬送距離が比較的長く構成されている。このため、最外側の株元搬送装置では、無端回動体とガイド部材との間に刈取穀稈が詰まり易い。そして、最外側の株元搬送装置において、無端回動体とガイド部材との間に刈取穀稈が詰まると、詰まった刈取穀稈を取り除くことが困難である。
【０００５】
上記状況に鑑み、最外側の株元搬送装置において、無端回動体とガイド部材との間に詰まった刈取穀稈を容易に取り除くことが可能な自脱型コンバインが要望されている。
【課題を解決するための手段】
【０００６】
本発明の特徴は、植立穀稈を刈り取って刈取穀稈を機体後方に向けて搬送する刈取部を備え、前記刈取部は、刈取穀稈の株元を挟持搬送するように構成され、刈幅方向に並ぶ複数の株元搬送装置を有し、前記株元搬送装置は、無端回動体と、前記無端回動体に対向して設けられ、刈取穀稈の株元を案内するガイド部材と、を有し、前記複数の株元搬送装置のうち刈幅方向で最も外側に位置する最外側の株元搬送装置は、前記無端回動体と前記ガイド部材とが近付く使用状態と、前記無端回動体と前記ガイド部材とが離れる離間状態とに切り替え可能に構成されていることにある。
【０００７】
本特徴構成によれば、最外側の株元搬送装置を離間状態に切り替えることにより、無端回動体とガイド部材との間隔が広くなる。これにより、最外側の株元搬送装置において、無端回動体とガイド部材との間に詰まった刈取穀稈を容易に取り除くことができる。
【０００８】
さらに、本発明において、前記刈取部は、前記最外側の株元搬送装置のうち前記無端回動体を支持する株元フレームを有し、前記株元フレームは、前記株元フレームの搬送終端部を支持する支持部を支点として揺動可能に構成されていると好適である。
【０００９】
本特徴構成によれば、最外側の株元搬送装置において、株元フレームを支持部を支点として無端回動体がガイド部材から離れる側に揺動させると、無端回動体とガイド部材との間隔が搬送始端部に近付くほど広くなる。これにより、無端回動体とガイド部材との間に詰まった刈取穀稈を、搬送始端部側から容易に取り除くことができる。
【００１０】
さらに、本発明において、前記最外側の株元搬送装置は、前記無端回動体が巻き付けられる複数の回転輪体を有し、前記支持部は、前記複数の回転輪体のうち搬送終端側に位置する回転輪体の回転軸と平行な軸によって構成されていると好適である。
【００１１】
本特徴構成によれば、株元フレームが搬送終端側に位置する回転輪体の回転軸とは別の軸である支持部を支点として揺動することになる。これにより、株元フレームが揺動する際に、搬送終端側に位置する回転輪体の回転軸に負荷がかかり難い。
【００１２】
さらに、本発明において、前記株元フレームを前記最外側の株元搬送装置が前記使用状態となる状態に位置固定するロック状態と前記株元フレームの位置固定を解除するロック解除状態とに切り替え可能なロック機構を備えていると好適である。
【００１３】
本特徴構成によれば、通常の刈取作業を行う際には、ロック機構をロック状態に切り替えることにより、株元搬送装置を使用状態に安定して保持することができる。そして、詰まった刈取穀稈を取り除く際には、ロック機構をロック解除状態に切り替えることにより、株元搬送装置を離間状態に容易に切り替えることができる。
【００１４】
さらに、本発明において、前記刈取部は、植立穀稈を分草する複数の分草具と、前記複数の分草具の夫々に対応して設けられ、前記分草具を支持する複数の分草フレームと、を有し、前記ロック機構は、前記ロック状態において、前記株元フレームを、前記複数の分草フレームのうち刈幅方向で前記最外側の株元搬送装置が位置する側の最も外側に位置する分草フレームに連結するように構成されていると好適である。
【００１５】
本特徴構成によれば、株元フレームを位置固定する部材として分草フレームを利用することにより、株元フレームを位置固定する専用の部材を設けなくても済む。
【００１６】
さらに、本発明において、前記ロック機構を複数備えていると好適である。
【００１７】
本特徴構成によれば、株元フレームが複数のロック機構によって最外側の株元搬送装置が使用状態となる状態に位置固定されることになる。これにより、最外側の株元搬送装置を使用状態に、より安定して保持することができる。
【００１８】
さらに、本発明において、前記刈取部は、刈幅方向で前記最外側の株元搬送装置が位置する側の側部に設けられるサイドカバーと、前記サイドカバーの下部を支持するサイドカバーフレームと、を有し、前記サイドカバーフレームに、前記株元フレームを前記離間状態に保持する保持部が設けられていると好適である。
【００１９】
本特徴構成によれば、最外側の株元搬送装置を離間状態に安定して保持することができる。
【図面の簡単な説明】
【００２０】
【図１】コンバインを示す左側面図である。
【図２】刈取部を示す平面図である。
【図３】右株元搬送装置及びその周辺構造を示す平面図である。
【図４】刈取部の下部を示す右側面図である。
【図５】右株元フレームの搬送終端部を示す平面図である。
【図６】右株元フレームの搬送終端部を示す断面図である。
【図７】ロック状態の第一ロック機構を示す右側面図である。
【図８】ロック解除状態の第一ロック機構を示す右側面図である。
【図９】ロック状態の第二ロック機構を示す右側面図である。
【図１０】ロック解除状態の第二ロック機構を示す右側面図である。
【図１１】離間状態の右株元搬送装置を示す平面図である。
【発明を実施するための形態】
【００２１】
本発明を実施するための形態について、図面に基づき説明する。なお、以下の説明では、矢印Ｆ（図１及び図２参照）の方向を「機体の前方」、矢印Ｂ（図１及び図２参照）の方向を「機体の後方」、矢印Ｌ（図２参照）の方向を「機体の左方」、矢印Ｒ（図２参照）の方向を「機体の右方」とする。
【００２２】
〔コンバインの全体構成〕
図１には、自脱型コンバインを示している。本コンバインには、走行機体１が備えられている。走行機体１には、クローラ式の走行装置２と、走行装置２に支持される機体フレーム３と、が備えられている。走行機体１の前方には、植立穀稈を刈り取って刈取穀稈を機体後方に向けて搬送する刈取部４が設けられている。走行機体１の前部における右側部分には、運転部５が設けられている。運転部５の下方には、エンジンＥが設けられている。
【００２３】
刈取部４の後方には、刈取穀稈を脱穀処理する脱穀装置６が設けられている。すなわち、刈取部４は、脱穀装置６の前方に設けられている。脱穀装置６の左側部には、刈取穀稈の株元を挟持搬送するフィードチェーン７が設けられている。脱穀装置６の右隣には、脱穀処理後の穀粒を貯留する穀粒貯留タンク８が設けられている。穀粒貯留タンク８には、穀粒貯留タンク８内の穀粒を排出する穀粒排出装置９が接続されている。
【００２４】
〔刈取部〕
図１及び図２に示すように、刈取部４は、複数条（本実施形態では、六条）の植立穀稈を刈り取って刈取穀稈を合流させて脱穀装置６に向けて搬送するように構成されている。刈取部４は、機体左右方向に沿って延びる揺動軸心Ｘ１周りにおいて、植立穀稈の刈取作業を行う刈取作業位置（下降位置）と、植立穀稈の刈取作業を行わない非刈取作業位置（上昇位置）とに亘って揺動可能に構成されている。刈取部４には、植立穀稈を分草する複数（本実施形態では、七つ）の分草具１０と、植立穀稈を引き起こす複数（本実施形態では、六つ）の引き起こし装置１１と、植立穀稈の株元を掻き込む複数（本実施形態では、六つ）の掻き込みベルト１２と、植立穀稈を切断する刈刃装置１３と、刈取穀稈の株元を掻き込む複数（本実施形態では、六つ）の掻き込みパッカ１４と、刈取穀稈を機体後方に向けて搬送する搬送装置１５と、これらを支持する刈取フレーム１６と、が備えられている。
【００２５】
このような構成によれば、圃場の植立穀稈が分草具１０によって分草され、分草具１０によって分草された植立穀稈が引き起こし装置１１によって引き起こされることになる。そして、引き起こし装置１１によって引き起こされた植立穀稈が掻き込みベルト１２によって掻き込まれ、掻き込みベルト１２によって掻き込まれた植立穀稈が刈刃装置１３によって切断されることになる。そして、刈刃装置１３によって切断された刈取穀稈が掻き込みパッカ１４によって掻き込まれ、掻き込みパッカ１４によって掻き込まれた刈取穀稈が搬送装置１５によって機体後方に向けて搬送されることになる。
【００２６】
〔搬送装置〕
図２に示すように、搬送装置１５には、左搬送装置１７と、中搬送装置１８と、右搬送装置１９と、扱深さ搬送装置２０と、供給搬送装置２１と、が備えられている。
【００２７】
左搬送装置１７は、左側二条の刈取穀稈を搬送するように構成されている。左搬送装置１７には、左株元搬送装置２２（本発明に係る「株元搬送装置」に相当）と、左穂先搬送装置２３と、が備えられている。
【００２８】
左株元搬送装置２２は、左側二条の刈取穀稈の株元を挟持搬送するように構成されている。左株元搬送装置２２には、突起付きの左株元チェーン２２Ａ（本発明に係る「無端回動体」に相当）と、左株元チェーン２２Ａに対向して設けられ、刈取穀稈の株元を案内する左株元ガイド２２Ｂ（本発明に係る「ガイド部材」に相当）と、左株元チェーン２２Ａが巻き付けられる駆動スプロケット２２Ｃ等と、が備えられている。左株元チェーン２２Ａ及び左株元ガイド２２Ｂによって刈取穀稈の株元が挟持搬送されることになる。
【００２９】
左穂先搬送装置２３は、左側二条の刈取穀稈の穂先を係止搬送するように構成されている。左穂先搬送装置２３は、左株元搬送装置２２の上方に配置されている。左穂先搬送装置２３には、左穂先チェーン２３Ａと、左穂先チェーン２３Ａに取り付けられ、刈取穀稈の穂先に係止作用する複数の爪２３Ｂと、左穂先チェーン２３Ａが巻き付けられる駆動スプロケット２３Ｃ等と、が備えられている。
【００３０】
左穂先搬送装置２３は、左穂先チェーン２３Ａのうち刈取穀稈を搬送する搬送経路Ｒ１側の部分において、爪２３Ｂが左穂先チェーン２３Ａに対して起立する起立姿勢となり、左穂先チェーン２３Ａのうち刈取穀稈を搬送しない戻り経路Ｒ２側の部分において、爪２３Ｂが左穂先チェーン２３Ａに対して倒伏する倒伏姿勢となるように構成されている。
【００３１】
中搬送装置１８は、中央側二条の刈取穀稈を搬送するように構成されている。中搬送装置１８には、中株元搬送装置２４（本発明に係る「株元搬送装置」に相当）と、中穂先搬送装置２５と、が備えられている。
【００３２】
中株元搬送装置２４は、中央側二条の刈取穀稈の株元を挟持搬送するように構成されている。中株元搬送装置２４には、突起付きの中株元チェーン２４Ａ（本発明に係る「無端回動体」に相当）と、中株元チェーン２４Ａに対向して設けられ、刈取穀稈の株元を案内する中株元ガイド２４Ｂ（本発明に係る「ガイド部材」に相当）と、中株元チェーン２４Ａが巻き付けられる駆動スプロケット２４Ｃ等と、が備えられている。中株元チェーン２４Ａ及び中株元ガイド２４Ｂによって刈取穀稈の株元が挟持搬送されることになる。
【００３３】
中穂先搬送装置２５は、中央側二条の刈取穀稈の穂先を係止搬送するように構成されている。中穂先搬送装置２５は、中株元搬送装置２４の上方に配置されている。中穂先搬送装置２５には、中穂先チェーン２５Ａと、中穂先チェーン２５Ａに取り付けられ、刈取穀稈の穂先に係止作用する複数の爪２５Ｂと、中穂先チェーン２５Ａが巻き付けられる駆動スプロケット２５Ｃ等と、が備えられている。
【００３４】
中穂先搬送装置２５は、中穂先チェーン２５Ａのうち刈取穀稈を搬送する搬送経路Ｒ１側の部分において、爪２５Ｂが中穂先チェーン２５Ａに対して起立する起立姿勢となり、中穂先チェーン２５Ａのうち刈取穀稈を搬送しない戻り経路Ｒ２側の部分において、爪２５Ｂが中穂先チェーン２５Ａに対して倒伏する倒伏姿勢となるように構成されている。
【００３５】
右搬送装置１９は、右側二条の刈取穀稈を搬送するように構成されている。右搬送装置１９には、右株元搬送装置２６（本発明に係る「株元搬送装置」、「最外側の株元搬送装置」に相当）と、右穂先搬送装置２７と、が備えられている。
【００３６】
右株元搬送装置２６は、右側二条の刈取穀稈の株元を挟持搬送するように構成されている。右株元搬送装置２６には、突起付きの右株元チェーン２６Ａ（本発明に係る「無端回動体」に相当）と、右株元チェーン２６Ａに対向して設けられ、刈取穀稈の株元を案内する右株元ガイド２６Ｂ（本発明に係る「ガイド部材」に相当）と、右株元チェーン２６Ａが巻き付けられる駆動スプロケット２６Ｃ、従動スプロケット２６Ｄ及びローラ２６Ｅ、２６Ｆ（夫々、本発明に係る「回転輪体」に相当）等と、が備えられている。右株元チェーン２６Ａ及び右株元ガイド２６Ｂによって刈取穀稈の株元が挟持搬送されることになる。
【００３７】
右穂先搬送装置２７は、右側二条の刈取穀稈の穂先を係止搬送するように構成されている。右穂先搬送装置２７は、右株元搬送装置２６の上方に配置されている。右穂先搬送装置２７には、右穂先チェーン２７Ａと、右穂先チェーン２７Ａに取り付けられ、刈取穀稈の穂先に係止作用する複数の爪２７Ｂと、右穂先チェーン２７Ａが巻き付けられる駆動スプロケット２７Ｃ等と、が備えられている。
【００３８】
右穂先搬送装置２７は、右穂先チェーン２７Ａのうち刈取穀稈を搬送する搬送経路Ｒ１側の部分において、爪２７Ｂが右穂先チェーン２７Ａに対して起立する起立姿勢となり、右穂先チェーン２７Ａのうち刈取穀稈を搬送しない戻り経路Ｒ２側の部分において、爪２７Ｂが右穂先チェーン２７Ａに対して倒伏する倒伏姿勢となるように構成されている。
【００３９】
扱深さ搬送装置２０は、左株元搬送装置２２、中株元搬送装置２４及び右株元搬送装置２６から刈取穀稈の株元を受け継いで挟持搬送するように構成されている。扱深さ搬送装置２０は、前支点で上下揺動可能に構成されている。扱深さ搬送装置２０が前支点で上下揺動することにより、扱深さが調節されることになる。
【００４０】
扱深さ搬送装置２０には、突起付きの扱深さチェーン２０Ａと、扱深さチェーン２０Ａに対向して設けられ、刈取穀稈の株元を案内する扱深さガイド２０Ｂと、が備えられている。扱深さチェーン２０Ａ及び扱深さガイド２０Ｂによって刈取穀稈の株元が挟持搬送されることになる。
【００４１】
供給搬送装置２１は、扱深さ搬送装置２０から刈取穀稈の株元を受け継いで挟持搬送するように構成されている。供給搬送装置２１は、フィードチェーン７に対して搬送方向上流側に配置されている。供給搬送装置２１は、右穂先搬送装置２７の後部の下方に配置されている。すなわち、右穂先搬送装置２７は、供給搬送装置２１の上方に配置されている。
【００４２】
供給搬送装置２１には、突起付きの供給チェーン２１Ａと、供給チェーン２１Ａに対向して設けられ、刈取穀稈の株元を案内する供給ガイド２１Ｂと、供給チェーン２１Ａが巻き付けられる駆動スプロケット２１Ｃ等と、が備えられている。供給チェーン２１Ａ及び供給ガイド２１Ｂによって刈取穀稈の株元が挟持搬送されることになる。
【００４３】
このような構成によれば、左穂先搬送装置２３によって係止搬送された左側二条の刈取穀稈の穂先、中穂先搬送装置２５によって係止搬送された中央側二条の刈取穀稈の穂先、及び右穂先搬送装置２７によって係止搬送された右側二条の刈取穀稈の穂先が合流し、当該合流した刈取穀稈の穂先（六条の刈取穀稈の穂先）が右穂先搬送装置２７によって係止搬送されて脱穀装置６の扱室（図示省略）に供給されることになる。
【００４４】
また、左株元搬送装置２２によって挟持搬送された左側二条の刈取穀稈の株元、中株元搬送装置２４によって挟持搬送された中央側二条の刈取穀稈の株元、及び右株元搬送装置２６によって挟持搬送された右側二条の刈取穀稈の株元が合流し、当該合流した刈取穀稈の株元（六条の刈取穀稈の株元）が扱深さ搬送装置２０及び供給搬送装置２１によって挟持搬送され、最終的には、供給搬送装置２１によってフィードチェーン７に供給されることになる。
【００４５】
〔刈取フレーム〕
図３及び図４に示すように、刈取フレーム１６には、分草フレーム２８と、刈取軸ケース２９と、刈取駆動ケース３０と、右株元駆動ケース３１と、が備えられている。
【００４６】
分草フレーム２８は、分草具１０を支持するように、複数（本実施形態では、七つ）の分草具１０の夫々に対応して複数（本実施形態では、七つ）設けられている。刈取軸ケース２９は、揺動軸心Ｘ１（図１参照）周りで揺動可能に構成されている。刈取駆動ケース３０は、刈取軸ケース２９の前端部に機体左右方向に沿って延びる状態で連結されている。右株元駆動ケース３１は、刈取軸ケース２９の前後中間部に立設されている。刈取軸ケース２９、刈取駆動ケース３０及び右株元駆動ケース３１の内部には、夫々、刈取部４の各部に動力を伝達するための軸（図示省略）等が設けられている。
【００４７】
七つの分草フレーム２８のうち刈幅方向で最も右外側に位置する分草フレーム２８（最右外側の分草フレーム２８）の後端部と刈取駆動ケース３０の右端部とに亘って、これらを連結する連結フレーム３２が設けられている。連結フレーム３２には、右フレーム３３が支持されている。
【００４８】
〔右株元フレーム〕
図３及び図４に示すように、右株元チェーン２６Ａを支持する右株元フレーム３４（本発明に係る「株元フレーム」に相当）が設けられている。右株元フレーム３４は、最右外側の分草フレーム２８、右株元駆動ケース３１及び右フレーム３３に支持されている。
【００４９】
右株元フレーム３４には、右株元搬送装置２６の搬送方向に沿って延びるパイプフレーム部３５と、パイプフレーム部３５の搬送終端部に設けられる基部３６と、が備えられている。
【００５０】
パイプフレーム部３５は、最右外側の分草フレーム２８と基部３６とに亘って設けられている。パイプフレーム部３５の前端部には、最右外側の分草フレーム２８に取り付けられる前取り付け部３７が設けられている。最右外側の分草フレーム２８には、前取り付け部３７が取り付けられる取り付け部３８が設けられている。前取り付け部３７は、取り付け部３８にボルト３９によって固定されている。
【００５１】
パイプフレーム部３５の前部には、六つの掻き込みベルト１２のうち刈幅方向で最も右外側に位置する掻き込みベルト１２（最右外側の掻き込みベルト１２）及び六つの掻き込みパッカ１４のうち刈幅方向で最も右外側に位置する掻き込みパッカ１４（最右外側の掻き込みパッカ１４）が支持されている。すなわち、右株元フレーム３４には、右株元チェーン２６Ａの他に、最右外側の掻き込みベルト１２及び最右外側の掻き込みパッカ１４も支持されている。
【００５２】
図５及び図６に示すように、基部３６は、揺動軸心Ｚ１周りで揺動可能に支持部４０に支持されている。すなわち、右株元フレーム３４は、右株元フレーム３４の搬送終端部を支持する支持部４０を支点として揺動可能に構成されている。
【００５３】
基部３６には、ローラ２６Ｅの回転軸Ｓ１の上端部が差し込まれる長孔３６ａが形成されている。長孔３６ａは、揺動軸心Ｚ１を中心とする円弧に沿う形状に形成されている。すなわち、右株元フレーム３４は、ローラ２６Ｅの回転軸Ｓ１が長孔３６ａに沿って移動しながら揺動軸心Ｚ１周りで揺動可能に構成されている。
【００５４】
支持部４０には、基部３６が取り付けられる取り付け軸４０Ａと、基部３６を取り付け軸４０Ａに固定するボルト４０Ｂと、が備えられている。取り付け軸４０Ａ及びローラ２６Ｅの回転軸Ｓ１は、台板４１に立設されている。台板４１は、右株元駆動ケース３１の上端部にボルト固定されている。
【００５５】
ここで、駆動スプロケット２６Ｃ及びローラ２６Ｅは、駆動スプロケット２６Ｃ、従動スプロケット２６Ｄ及びローラ２６Ｅ、２６Ｆのうち搬送終端側に位置する回転輪体である。支持部４０は、駆動スプロケット２６Ｃの回転軸Ｓ２及びローラ２６Ｅの回転軸Ｓ１と平行な軸によって構成されている。すなわち、支持部４０は、駆動スプロケット２６Ｃの回転軸Ｓ２及びローラ２６Ｅの回転軸Ｓ１とは別の軸によって構成されている。
【００５６】
〔第一ロック機構〕
図３及び図４に示すように、右株元フレーム３４を右株元搬送装置２６が使用状態となる状態に位置固定するロック状態（図７参照）と右株元フレーム３４の位置固定を解除するロック解除状態（図８参照）とに切り替え可能な第一ロック機構４２（本発明に係る「ロック機構」に相当）が設けられている。第一ロック機構４２は、右株元フレーム３４と最右外側の分草フレーム２８とに亘って構成されている。具体的には、第一ロック機構４２は、前取り付け部３７と取り付け部３８とに亘って構成されている。第一ロック機構４２には、ピン４３と、ピン４３に引っ掛け可能なフック４４と、が備えられている。
【００５７】
ピン４３は、前取り付け部３７の右側面から右側に向かって突出する状態で、前取り付け部３７に設けられている。ピン４３は、頭付きのピンによって構成されている。取り付け部３８には、ピン４３が係合可能なように、後側に向かって開口する係合溝３８ａが形成されている。
【００５８】
フック４４は、取り付け部３８に対して右側に位置し、かつ、機体左右方向に沿って延びる揺動軸心Ｘ２周りで揺動可能なように、取り付け部３８に支持されている。フック４４には、フック４４を揺動操作するためのハンドル４５が設けられている。フック４４は、ピン４３に引っ掛けられた状態で前取り付け部３７にボルト６０によって固定されている。
【００５９】
このような構成によれば、図７に示すように、ピン４３を係合溝３８ａに係合させた状態で、ハンドル４５によってフック４４を揺動操作して、フック４４をピン４３に引っ掛けると、第一ロック機構４２がロック状態となる。こうして、右株元フレーム３４が第一ロック機構４２によって右株元搬送装置２６が使用状態となる状態に位置固定されることになる。すなわち、第一ロック機構４２は、ロック状態において、右株元フレーム３４を最右外側の分草フレーム２８に連結するように構成されている。
【００６０】
そして、図８に示すように、ボルト６０を取り外した状態でハンドル４５によってフック４４を揺動操作して、ピン４３に対するフック４４の引っ掛けを解除すると、第一ロック機構４２がロック解除状態となる。こうして、第一ロック機構４２による右株元フレーム３４の位置固定が解除されることになる。
【００６１】
〔第二ロック機構〕
図３及び図４に示すように、右株元フレーム３４を右株元搬送装置２６が使用状態となる状態に位置固定するロック状態（図９参照）と右株元フレーム３４の位置固定を解除するロック解除状態（図１０参照）とに切り替え可能な第二ロック機構４６（本発明に係る「ロック機構」に相当）が設けられている。すなわち、本実施形態では、本発明に係る「ロック機構」は、二つ備えられている。
【００６２】
第二ロック機構４６は、右株元フレーム３４と右フレーム３３とに亘って構成されている。具体的には、第二ロック機構４６は、第一ステー４７と第二ステー４８とに亘って構成されている。第一ステー４７は、パイプフレーム部３５に設けられている。第二ステー４８は、右フレーム３３に設けられている。第一ステー４７と第二ステー４８とは、ボルト４９によって固定されている。第二ロック機構４６には、ピン５０と、ピン５０に引っ掛け可能な左右のフック５１と、が備えられている。
【００６３】
ピン５０は、第二ステー４８の左縁から左側に向かって突出し、かつ、第二ステー４８の右縁から右側に向かって突出する状態で、第二ステー４８に設けられている。
【００６４】
左右のフック５１は、揺動軸心Ｘ３周りで一体的に揺動可能なように、第一ステー４７に支持されている。左右のフック５１を揺動操作するためのハンドル５２が設けられている。第一ステー４７には、左右のフック５１がピン５０に引っ掛けられた状態でハンドル５２を保持する保持部５３が設けられている。ハンドル５２は、左右のフック５１がピン５０に引っ掛けられた状態で保持部５３にボルト５４によって固定されている。
【００６５】
このような構成によれば、図９に示すように、ハンドル５２によって左右のフック５１を揺動操作して、左側のフック５１をピン５０の左端部に引っ掛け、かつ、右側のフック５１をピン５０の右端部に引っ掛けると、第二ロック機構４６がロック状態となる。こうして、右株元フレーム３４が第二ロック機構４６によって右株元搬送装置２６が使用状態となる状態に位置固定されることになる。
【００６６】
そして、図１０に示すように、ボルト５４を取り外した状態でハンドル５２によって左右のフック５１を揺動操作して、ピン５０に対する左右のフック５１の引っ掛けを解除すると、第二ロック機構４６がロック解除状態となる。こうして、第二ロック機構４６による右株元フレーム３４の位置固定が解除されることになる。
【００６７】
〔右株元搬送装置の離間状態への切り替え〕
図１１に示すように、第一ロック機構４２及び第二ロック機構４６による右株元フレーム３４の位置固定を解除し、かつ、ボルト３９による前取り付け部３７の固定を解除し、かつ、ボルト４９による第一ステー４７の固定を解除する。
【００６８】
そして、右株元フレーム３４を揺動軸心Ｚ１周りで矢印方向に揺動操作すると、右株元フレーム３４の揺動に伴って、右株元チェーン２６Ａが右株元ガイド２６Ｂから離間することになる。このように、刈幅方向に並ぶ左株元搬送装置２２、中株元搬送装置２４及び右株元搬送装置２６のうち最も右外側に位置する右株元搬送装置２６は、右株元チェーン２６Ａと右株元ガイド２６Ｂとが近付く使用状態（図３参照）と、右株元チェーン２６Ａと右株元ガイド２６Ｂとが離れる離間状態（図１１参照）とに切り替え可能に構成されている。
【００６９】
そして、上述のように、右株元フレーム３４には、右株元チェーン２６Ａの他に、最右外側の掻き込みベルト１２及び最右外側の掻き込みパッカ１４も支持されているところ、右株元フレーム３４の揺動に伴って、最右外側の掻き込みベルト１２及び最右外側の掻き込みパッカ１４も右株元フレーム３４と一体的に移動することになる。
【００７０】
ここで、右株元チェーン２６Ａのうちローラ２６Ｆの近傍部分には、右株元チェーン２６Ａにテンションを付与するテンションローラ５５が接触している。テンションローラ５５は、右株元チェーン２６Ａにテンションを付与するテンション付与状態と右株元チェーン２６Ａに対するテンションの付与を解除するテンション解除状態とに切り替え可能に構成されている。
【００７１】
テンションローラ５５をテンション解除状態に切り替えると、右株元チェーン２６Ａの張り具合が緩むことになる。これにより、右株元搬送装置２６を使用状態から離間状態に切り替える際に、右株元チェーン２６Ａによる制限を受け難くして、右株元チェーン２６Ａを右株元ガイド２６Ｂから大きく離間させることができる。
【００７２】
〔保持部〕
図４に示すように、刈取部４の左右両側部には、夫々、サイドカバー４Ａが設けられている。最右外側の分草フレーム２８には、刈取部４のうち刈幅方向で右株元搬送装置２６が位置する側（右側）のサイドカバー４Ａの下部を支持するサイドカバーフレーム５６が支持されている。サイドカバーフレーム５６には、右株元フレーム３４を離間状態に保持する保持部５７が設けられている。右株元フレーム３４には、右株元搬送装置２６が離間状態に切り替えられた状態で、保持部５７に取り付けられる取り付け部５８が設けられている。
【００７３】
このような構成によれば、図８に示すように、右株元搬送装置２６が離間状態に切り替えられた状態で、右株元フレーム３４を保持部５７によって離間状態に保持することができる。その際、取り付け部５８は、保持部５７にピン５９によって固定されることになる。
【００７４】
〔別実施形態〕
（１）上記実施形態では、本発明に係る「最外側の株元搬送装置」は、右株元搬送装置２６である。しかし、本発明に係る「最外側の株元搬送装置」は、左株元搬送装置２２であってもよい。
【００７５】
（２）上記実施形態では、支持部４０は、駆動スプロケット２６Ｃの回転軸Ｓ２及びローラ２６Ｅの回転軸Ｓ１と平行な軸によって構成されている。しかし、支持部４０は、駆動スプロケット２６Ｃの回転軸Ｓ２によって構成されていてもよい。あるいは、支持部４０は、ローラ２６Ｅの回転軸Ｓ１によって構成されていてもよい。
【００７６】
（３）上記実施形態では、発明に係る「ロック機構」として、第一ロック機構４２及び第二ロック機構４６が備えられている。すなわち、本発明に係る「ロック機構」は、二つ備えられている。しかし、本発明に係る「ロック機構」は、一つであってもよい。あるいは、本発明に係る「ロック機構」は、三つ以上であってもよい。
【００７７】
（４）上記実施形態では、保持部５７は、サイドカバーフレーム５６に設けられている。しかし、保持部５７は、サイドカバーフレーム５６とは別の部材に設けられていてもよい。
【００７８】
（５）上記実施形態では、刈取部４は、六条刈りに構成されている。しかし、刈取部４は、六条刈りに限定されるものではない。
【産業上の利用可能性】
【００７９】
本発明は、自脱型コンバインに利用可能である。
【符号の説明】
【００８０】
４  刈取部
４Ａ  サイドカバー
１０  分草具
２２  左株元搬送装置（株元搬送装置）
２２Ａ  左株元チェーン（無端回動体）
２２Ｂ  左株元ガイド（ガイド部材）
２４  中株元搬送装置（株元搬送装置）
２４Ａ  中株元チェーン（無端回動体）
２４Ｂ  中株元ガイド（ガイド部材）
２６  右株元搬送装置（株元搬送装置、最外側の株元搬送装置）
２６Ａ  右株元チェーン（無端回動体）
２６Ｂ  右株元ガイド（ガイド部材）
２６Ｃ  駆動スプロケット（回転輪体）
２６Ｄ  従動スプロケット（回転輪体）
２６Ｅ  ローラ（回転輪体）
２６Ｆ  ローラ（回転輪体）
２８  分草フレーム
３４  右株元フレーム（株元フレーム）
４０  支持部
４２  第一ロック機構（ロック機構）
４６  第二ロック機構（ロック機構）
５６  サイドカバーフレーム
５７  保持部
Ｓ１  回転軸
Ｓ２  回転軸
【図１】
2022001022.tif 000003
【図２】
2022001022.tif 000004
【図３】
2022001022.tif 000005
【図４】
2022001022.tif 000006
【図５】
2022001022.tif 000007
【図６】
2022001022.tif 000008
【図７】
2022001022.tif 000009
【図８】
2022001022.tif 000010
【図９】
2022001022.tif 000011
【図１０】
2022001022.tif 000012
【図１１】
2022001022.tif 000013